(57)【特許請求の範囲】
【請求項１】
施設における順番待ちを管理する順番管理システムであって、
利用者による前記施設への順番待ちの登録を受け付ける複数の受付端末と、
各々の受付端末を介して取得した順番待ちの登録の情報を、前記施設の順番待ちリストに登録する順番管理サーバと、を備え、
前記順番管理サーバは、
順番待ちの登録のための操作が進行中の受付端末の数に基づいて、登録見込み組数を算出する登録見込み組数算出部と、
前記利用者に提示する予想待ち時間を算出する予想待ち時間算出部と、を備え、
前記予想待ち時間算出部は、
前記順番待ちリストに登録されている順番待ち組数と、前記登録見込み組数に基づいて予想待ち時間を算出する、順番管理システム。
【請求項２】
前記登録見込み組数算出部は、
前記施設の受付用端末のうち登録のための操作が進行中の端末の数と、オンラインでの登録のための操作が進行中のセッション数の少なくとも一方に基づいて、登録見込み組数を算出する請求項１に記載の順番管理システム。
【請求項３】
前記登録見込み組数算出部は、
登録のための操作が進行中の受付端末の数に一定割合を掛けた数を、前記登録見込み組数とする、請求項１または２に記載の順番管理システム。
【請求項４】
前記登録見込み数算出部は、
前記施設のオンラインサイトへのアクセス数に基づいて、登録見込み組数を算出する、請求項１から３のいずれか１項に記載の順番管理システム。
【請求項５】
前記登録見込み数算出部は、
前記施設のオンラインサイトへのアクセスのうち、前記施設からの距離が閾値以内のものの数に基づいて、登録見込み組数を算出する、請求項４に記載の順番管理システム。
【請求項６】
施設における順番待ちを管理する順番管理装置であって、
利用者による前記施設への順番待ちの登録のための操作が進行中の受付端末の数に基づいて、登録見込み組数を算出する登録見込み組数算出部と、
前記利用者に提示する予想待ち時間を算出する予想待ち時間算出部と、を備え、
前記予想待ち時間算出部は、
前記受付端末を介して取得した順番待ちの登録の情報を記録する順番待ちリストに登録されている順番待ち組数と、前記登録見込み組数に基づいて、予想待ち時間を算出する、順番管理装置。
【請求項７】
施設における順番待ちを管理するコンピュータを、
利用者による前記施設への順番待ちの登録のための操作が進行中の受付端末の数に基づいて、登録見込み組数を算出する登録見込み組数算出部と、
前記利用者に提示する予想待ち時間を算出する予想待ち時間算出部と、して機能させ、
前記予想待ち時間算出部は、
前記受付端末を介して取得した順番待ちの登録の情報を記録する順番待ちリストに登録されている順番待ち組数と、前記登録見込み組数に基づいて、予想待ち時間を算出する、プログラム。
【発明の詳細な説明】
【技術分野】
【０００１】
本発明は、順番管理システム、順番管理装置、およびプログラムに関する。
【背景技術】
【０００２】
従来、レストランやアミューズメント施設、病院、銀行、役所等においては、そのサービスを待つ顧客の順番待ちを管理するために、種々の順番管理システムが採用されている。
【０００３】
例えば、特許文献１には、順番待ちのできる複数の施設に対して同時に予約管理サービスを提供する予約管理システムが記載されており、ユーザは、Ｗｅｂや、電話や、店頭端末から順番待ち予約の申し込みをできることが記載されている。また、店舗端末には、概算の待ち時間が表示されることが記載されている。
【先行技術文献】
【特許文献】
【０００４】
【特許文献１】特開２００５−５０００２号公報
【発明の概要】
【発明が解決しようとする課題】
【０００５】
従来の順番管理システムにおいては、店舗端末に表示される予想待ち時間は、１組あたりの平均待ち時間に待ち組数を積算したものである。しかし、通常、順番待ちの登録は、１台の端末のみで受け付けるわけではなく、複数の他の端末やオンライン登録などもある。このため、受付の操作をしている間に、他の端末やオンラインから他者が先に登録をしてしまうと、最初に提示された予想待ち時間と、登録完了時の予想待ち時間に差が生じるという問題があった。
【０００６】
本発明は、以上説明した事情を鑑みてなされたものであり、他の端末やオンラインからの登録も考慮して、利用者に正確な予想待ち時間を提示することを目的の一つとする。
【課題を解決するための手段】
【０００７】
本発明の一実施形態に係る順番管理システムは、施設における順番待ちを管理する順番管理システムであって、利用者による前記施設への順番待ちの登録を受け付ける複数の受付端末と、各々の受付端末を介して取得した順番待ちの登録の情報を、前記施設の順番待ちリストに登録する順番管理サーバと、を備え、前記順番管理サーバは、順番待ちの登録のための操作が進行中の受付端末の数に基づいて、登録見込み組数を算出する登録見込み組数算出部と、前記利用者に提示する予想待ち時間を算出する予想待ち時間算出部と、を備え、前記予想待ち時間算出部は、前記順番待ちリストに登録されている順番待ち組数と、前記登録見込み組数に基づいて予想待ち時間を算出するものである。
【０００８】
本発明の一実施形態に係る順番管理装置は、施設における順番待ちを管理する順番管理装置であって、利用者による前記施設への順番待ちの登録のための操作が進行中の受付端末の数に基づいて、登録見込み組数を算出する登録見込み組数算出部と、前記利用者に提示する予想待ち時間を算出する予想待ち時間算出部と、を備え、前記予想待ち時間算出部は、前記受付端末を介して取得した順番待ちの登録の情報を記録する順番待ちリストに登録されている順番待ち組数と、前記登録見込み組数に基づいて、予想待ち時間を算出するものである。
【０００９】
本発明の一実施形態に係るプログラムは、施設における順番待ちを管理するコンピュータを、利用者による前記施設への順番待ちの登録のための操作が進行中の受付端末の数に基づいて、登録見込み組数を算出する登録見込み組数算出部と、前記利用者に提示する予想待ち時間を算出する予想待ち時間算出部と、して機能させ、前記予想待ち時間算出部は、前記受付端末を介して取得した順番待ちの登録の情報を記録する順番待ちリストに登録されている順番待ち組数と、前記登録見込み組数に基づいて、予想待ち時間を算出するものである。
【発明の効果】
【００１０】
本発明によれば、他の端末やオンラインからの登録も考慮して、利用者に正確な予想待ち時間を提示することができる。
【図面の簡単な説明】
【００１１】
【図１】本発明の実施形態に係る順番管理システム１の概略構成を示す図。
【図２】本発明の実施形態に係る順番管理システム１における順番待ちの受付登録処理のフローチャート。
【図３】本発明の実施形態に係る順番管理システム１における予想待ち時間の計算処理のフローチャート。
【発明を実施するための形態】
【００１２】
以下、本発明の実施形態について図面を参照しつつ詳細に説明する。なお、同一の要素には同一の符号を付し、重複する説明を省略する。
【００１３】
本実施形態では、レストランＡにおける順番待ち管理の例について説明するが、その他、アミューズメント施設、ショッピングモール、イベント会場、銀行、病院、役所など、施設利用者の順番待ちの管理を行うあらゆる施設に適用できる。
【００１４】
図１は、本実施形態に係る順番管理システム１の概略構成を示す図である。図１に示すように、順番管理システム１は、管理センター等に設置された順番管理サーバ１００と、施設の入口付近などに設置された順番管理端末（受付端末、施設の受付用端末）２００と、ユーザ端末（受付端末）３００を含んでいる。順番管理サーバ１００は、順番管理端末２００およびユーザ端末３００と通信ネットワークＮを介して接続されている。なお、図１には１つの順番管理端末２００が図示されているが、実際には１つの施設で複数の順番管理端末２００が使用されている。
【００１５】
施設（ここではレストランＡ）の利用者は、順番管理端末２００を操作して、施設への順番待ちを登録することができる。また、ユーザ端末３００を操作して順番待ちの登録、待ち時間の確認、順番が来た際の呼出の受信などをすることができる。また、施設の従業者等は、順番管理端末２００を操作して、利用者に代わって順番待ちを登録したり、順番待ちリストに登録されている順番待ち組のステータスを更新したりする。
【００１６】
順番管理サーバ１００は、順番管理端末２００やユーザ端末３００を介して登録される順番待ちを施設毎に管理する。本実施形態では、１つの施設の順番待ちの管理を例に説明するが、順番管理サーバ１００は、実際には複数の施設に設置されている順番管理端末２００と接続され、各施設の順番待ちを管理している。順番管理サーバ１００は、汎用的なコンピュータによって構成され、そのコンピュータにおいてサーバ用プログラムが動作することにより、サーバ機能を実現する。順番管理サーバ１００を構成するコンピュータは、必ずしも１台である必要はなく、通信ネットワークＮ上に分散する複数のコンピュータから構成されてもよい。
【００１７】
順番管理サーバ１００は、施設ごとに順番管理端末２００を管理するための管理データベース１１０と、プロセッサ（登録見込み組数算出部、予想待ち時間算出部）１２０と、を備えている。管理データベース１１０は、クライアント管理テーブルＴＡ１と、ステータス管理テーブルＴＡ２を備えている。
【００１８】
クライアント管理テーブルＴＡ１には、施設毎に、順番管理端末２００に対して付与されている固有のＩＤとパスコード（アカウント）が登録されている。クライアント管理テーブルＴＡ１の１レコードには、例えば「レストランＡ」のレコードとして、「ＩＤ：Ａ１・・・」、「パスコード：ＡＡ２・・・」等が設定されている。これらの情報は、例えば、システム導入の際に各施設で順番待ちの管理を行う管理者（例えば、施設のオーナーなど）によって設定される。なお、１施設で複数の順番管理端末２００を利用する場合には、同一のＩＤとパスコードを利用してもよいが、例えば一定の条件に従い、複数のＩＤとパスワードを使い分けるようにしてもよい。
【００１９】
ステータス管理テーブルＴＡ２には、各施設での順番待ちリストが登録されている。この順番待ちリストは、順番待ちをしている者（順番待ち組）の一覧と、各々の順番待ち組の待ち状況をあらわす情報（ステータス情報）が含まれる。順番待ちリストの１レコードには、受付番号「１」、受付時刻「１３：０３」、受付項目「テラス席」、人数「４」、ステータス「待ち中」等の情報が含まれている。その他、氏名、連絡先（メールアドレス、電話番号）などの情報も含むことができる。
【００２０】
ステータスには、順番到来前の状態である「待ち中」、順番が来たことを知らせた状態である「呼出中」、順番が来た者を実際に席に案内した状態である「案内済」、さらに順番待ちをキャンセルした状態である「取消済」等が含まれる。ステータスとしてどのような項目を設定するかは各施設の管理者等が適宜設定および変更可能となっている。受付項目は、ここでは希望する席の種類（テラス席、テーブル、カウンター、個室等）である。
【００２１】
なお、順番待ちリストに含める情報は、各施設の管理者等が適宜設定および変更可能となっている。順番待ちリストの内容は、順番管理端末２００から送信される順番待ちリストへの新規登録情報、またはステータスの更新情報（詳細は後述）に基づいて更新される。
【００２２】
プロセッサ１２０は、算術演算、論理演算、ビット演算等を処理する算術論理演算ユニット（ＣＰＵなど）および各種レジスタから構成され、ＲＯＭ等の記憶手段に格納されている各種プログラムを実行することで順番管理サーバ１００の各部を中枢的に制御する。また、プロセッサ１２０は、順番管理端末２００、ユーザ端末３００と連携して順番待ちを管理するためのコンピュータプログラム（順番管理アプリケーション）も実行する。
【００２３】
通信ネットワークＮは、順番管理サーバ１００と順番管理端末２００、ユーザ端末３００との間などで、相互に情報を送受信可能な通信網を含む。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００２４】
順番管理端末２００は、タブレット端末や、パーソナルコンピュータ（ＰＣ）、ノートＰＣ、スマートフォン、携帯電話機、携帯情報端末（ＰＤＡ）など、通信ネットワークＮを介して順番管理サーバ１００とデータの授受が可能なあらゆる端末装置を利用することができる。なお、順番管理端末２００は、１施設で複数台利用することもできる。順番管理端末２００は、利用者が順番待ちの受付登録のために利用する端末や、従業者が順番待ちリストの内容の確認や、各順番待ち組のステータスの更新操作に用いる端末として利用することができる。
【００２５】
図１に示すように、順番管理端末２００は、プロセッサ２１０と、入力装置２２０と、表示装置２３０と、通信インタフェース２４０と、記憶資源２５０を備えている。順番管理端末２００は、施設に来たゲストや、施設の従業者がタッチパネルなどの入力装置２２０を操作することで、順番待ちリストへの登録やステータスの更新等の入力を受け付ける。
【００２６】
プロセッサ２１０は、算術演算、論理演算、ビット演算等を処理する算術論理演算ユニット（ＣＰＵなど）および各種レジスタから構成され、記憶資源２５０に格納されている各種プログラムを実行することで順番管理端末２００の各部を中枢的に制御する。各種レジスタは、例えば、プログラムカウンタ、データレジスタ、命令レジスタ、汎用レジスタ等である。
【００２７】
入力装置２２０は、順番待ちリストへの登録やステータスの更新等の入力を受け付けるための各種操作ボタンやタッチパネルを備えている。
【００２８】
表示装置２３０は、順番待ちリストや、受付画面やステータス管理画面を表示するための装置であり、例えば液晶ディスプレイにより構成される。
【００２９】
通信インタフェース２４０は、通信ネットワークＮに接続し、通信ネットワークＮを介して他の装置と通信をするためのハードウェアモジュールである。通信インタフェース２４０は、例えば、ＩＳＤＮモデム、ＡＤＳＬモデム、ケーブルモデム、光モデム、ソフトモデム等の変調復調装置である。
【００３０】
記憶資源２５０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。
【００３１】
記憶資源２５０には、オペレーティングシステムプログラム、ドライバプログラム、各種データ等が格納される。ドライバプログラムとしては、例えば、通信インタフェース２４０を制御するための通信インタフェースドライバプログラム等がある。また、記憶資源２５０には、これら各種プログラムや各種データのほか、プロセッサ２１０が実行することにより、順番管理サーバ１００と連携して順番待ちを管理するコンピュータプログラム（アプリケーション）が記憶されている。
【００３２】
ユーザ端末３００は、施設の利用者が所有する、スマートフォン、携帯電話、タブレット端末、ウェアラブルデバイス、ノートＰＣ（パーソナルコンピュータ）などの端末である。ユーザ端末３００は、プロセッサ３１０、各種操作ボタンやタッチパネルなどの入力装置３２０、液晶ディスプレイなどの表示装置３３０、通信ネットワークＮに接続するための通信インタフェース３４０、ディスクドライブまたは半導体メモリ（ＲＯＭ、ＲＡＭなど）などの記憶資源３５０を備えている。記憶資源３５０には、これら各種プログラムや各種データのほか、順番管理システム１のサービスを利用するためのコンピュータプログラム（専用アプリ）が記憶されている。
【００３３】
（順番待ちの受付登録）
次に、順番管理システム１による順番待ちの受付登録処理について図２のフローチャートを用いて説明する。ここでは、利用者が店舗の入り口付近に設置された順番管理端末２００を操作して受付登録を行う場合を例に説明する。
【００３４】
まず、順番管理端末２００は通信インタフェース２４０を介して、順番管理サーバ１００からステータス管理テーブルＴＡ２に登録されている順番待ちリストの情報を受信する（ステップＳ１０１）。
【００３５】
順番管理端末２００は、受信した順番待ちリストの情報に基づいて、表示装置２３０に受付案内画面を表示する（ステップＳ１０２）。受付案内画面には、現在の順番待ち組数や予想待ち時間などが表示される。予想待ち時間の算出方法については後述する。また、受付登録をする場合にタッチするボタンと、タッチ操作を促すメッセージなどが表示される。
【００３６】
利用者が、表示装置２３０に表示されたボタンにタッチすると、受付登録画面が表示される（ステップＳ１０３）。受付登録画面には、受付登録に必要な項目の選択、入力を促すメッセージや、席の種類や人数を入力するボタンなどが表示される。また、順番が到来した際に、電話やメールによる呼出しを希望する利用者は、受付登録画面において、連絡先の電話番号またはメールアドレスを登録することができる。
【００３７】
表示された受付登録画面に対して利用者が操作入力を行い、順番待ちの受付登録に必要な情報（咳の種類、人数、連絡先等）の入力を完了すると、順番管理端末２００は、新規登録情報として、順番管理サーバ１００に送信する（ステップＳ１０４）。
【００３８】
順番管理サーバ１００は、順番管理端末２００から新規登録情報を受信すると、受信した新規登録情報に基づいて、その施設の順番待ちリストに順番待ちを１組新たに追加する処理を行い、ステータス管理テーブルＴＡ２を更新する（ステップＳ１０５）。
【００３９】
順番管理サーバ１００は、順番管理端末２００に受付完了画面を表示させる（ステップＳ１０６）。受付完了画面には、受付番号や、現時点での予想待ち時間等が表示される。また、順番券を受け取るよう促すメッセージが表示され、利用者は、順番管理端末２００に接続されたプリンタから印刷される順番券を受け取ることができる。
【００４０】
順番券には、受付番号と対応付けられた二次元コードが印刷されている。利用者が自身のユーザ端末３００を利用して順番券に印刷された二次元コードを読み取ると、ユーザ端末３００の表示装置３３０に、現在の順番待ち状況（現状の待ち組数や予想待ち時間など）が表示される。また、利用者が、二次元コードを読み込むことによって表示される案内にしたがって電話番号やメールアドレスを入力することにより、順番が到来した際に電話またはメールによるメッセージを受信したり、順番が近づいたときにリマインドメッセージを受信したりすることができる。
【００４１】
（予想待ち時間の計算）
次に、順番管理システム１による予想待ち時間の計算処理について図３のフローチャートを用いて説明する。予想待ち時間は、受付画面や、受付登録後の受付完了画面に表示される。また、順番待ちを登録した利用者がユーザ端末３００から問い合わせを行った際に、ユーザ端末３００に表示される。予想待ち時間は表示を行う度に算出される。
【００４２】
順番管理サーバ１００は、順番待ちリストに登録されている順番待ち組数を取得する（ステップＳ２０１）。順番待ち組数は、順番待ちリストに登録されているレコードのうち、ステータスが「待ち中」であるレコードの件数である。
【００４３】
次に、順番管理サーバ１００は、他に、順番待ちの登録を進めているユーザ数を計測する（ステップＳ２０２）。具体的には、まず、施設で利用されている他の順番管理端末２００のうち、受付登録画面を表示している端末の数を計測する（店内端末での登録操作中ユーザ数）。さらに、順番管理サーバ１００は、オンラインの受付登録用のサイトにアクセスしているセッション数（オンラインでの登録操作中ユーザ数）を計測する。順番管理サーバ１００は、店内端末での登録操作中ユーザ数とオンラインでの登録操作中ユーザ数を合算した値を、順番待ちの登録を進めているユーザ数として算出する。例えば、店内端末での登録操作中ユーザ数が「２」、オンラインでの登録操作中ユーザ数が「３」であれば、順番待ちの登録を進めているユーザ数は「５」となる。
【００４４】
次に、順番管理サーバ１００は、ステップＳ２０２で計測した順番待ちの登録を進めているユーザ数に一定割合（例えば８０％）を掛けた値を、登録見込み組数として算出する（ステップＳ２０３）。例えば、順番待ちの登録を進めているユーザ数が「５」の場合、登録見込み組数は「４」とすることができる。
【００４５】
順番管理サーバ１００は、ステップＳ２０１で取得した順番待ち組数とステップＳ２０３で算出した登録見込み組数を合算した値に、予め設定された１待ち組当たりの目安待ち時間（例えば１０分）を掛けることにより、予想待ち時間を算出する（ステップＳ２０４）。例えば、順番待ち組数が「３」、登録見込み組数は「４」の場合、予想待ち時間は７組×１０分で「７０分」となる。
【００４６】
また、順番管理サーバ１００は、オンラインでの受付登録操作を行っていなくても、施設のオンラインサイト（例えば、店の紹介やメニューの紹介のページ等）にアクセスしているセッション数に一定割合（例えば２０％）をかけた数を、登録見込み組数に含めるようにしてもよい。ここでの割合は、受付操作中のユーザ数に掛ける割合よりも小さい値とすることが望ましい。例えば、サイトを閲覧しているセッション数が「１０」の場合、２組を登録見込み組数に加えるようにしてもよい。なお、サイトにアクセスしているユーザのうち、施設からの距離が一定以内（例えば１０ｋｍ圏内）のもののみ、カウントするようにしてもよい。
【００４７】
順番管理サーバ１００は、算出された予想待ち時間を、受付画面や、受付登録後の受付完了画面、ユーザ端末３００の問い合わせ画面などに表示する（ステップＳ２０５）。
【００４８】
（順番待ちリストの更新）
順番待ちリストの各レコードの内容は、施設の従業者が順番管理端末２００を操作してステータスの更新処理を行った際などに更新される。ステータスの更新処理には、「取消」、「変更」、「呼出」、「案内」が含まれる。「取消」は、順番待ちをキャンセルすることを意味し、「変更」は、いったん入力された順番待ちの内容を変更することを意味する。また、「呼出」は、順番が来た組を口頭で呼出したり、電話や呼出メールなどで知らせたりした状態であることを意味し、「案内」は、順番が来た組を実際に案内した状態であることを意味する。
【００４９】
従業者が順番管理端末２００を操作してステータスの更新処理を行う場合、順番管理端末２００に表示された順番待ちリストの中から、更新対象の順番待ち組を選択し、選択した順番待ち組に対していずれかの更新処理を行う。更新対象の順番待ち組を特定する情報（例えば受付番号「１」）と更新処理の情報（例えば「案内」）は、順番管理端末２００から通信ネットワークＮを介して順番管理サーバ１００にアップロードされる。順番管理サーバ１００は、受信した情報に基づき、当該施設の順番待ちリストを更新する。例えば、受付番号「１」に対して「案内」操作を行った場合には、受付番号「１」の順番待ち組のステータスが「案内済」に更新される。
【００５０】
以上のように、本実施形態によれば、予想待ち時間の算出において、順番待ちリストに登録されている実際の待ち組数だけでなく、他の端末やオンラインで登録操作中のユーザの数（登録見込み組数）も考慮するようにした。これにより、受付の操作をしている間に、他ユーザが先に登録を完了したため、当初提示された予想待ち時間と、登録完了時の予想待ち時間に差が生じることを防止し、より正確な予想待ち時間を提供することができる。
【００５１】
また、他の端末やオンラインで登録操作中のユーザの数に、一定割合を掛けた値を登録見込み数として実際の待ち組数に加算するようにした。これにより、登録が完了するタイミングの前後や、操作途中で登録をやめるユーザの数なども見込んで、より正確な予想待ち時間を算出することができる。
【００５２】
また、オンラインで登録操作を行っていなくても、施設のオンラインサイトにアクセスしているユーザ数に一定割合を掛けた値を登録見込み組数として加算するようにした。これにより、これから受付登録を始める可能性のあるユーザを一定数見込んで、予想待ち時間を算出することができる。
【００５３】
また、オンラインサイトにアクセスしているユーザのうち、施設からの距離が一定以内のもののみを対象として登録見込み組数に加算するようにした。これにより、施設からの距離が遠く、実際に来店する可能性の低いユーザについては、登録見込みの対象から外すことが出来る。
【００５４】
なお、受付用の順番管理端末２００の用途が分かれている場合には、同じ用途の端末のみを登録見込み組数に加算するようにしてもよい。例えば、病院等で診療科毎に受付用の順番管理端末２００が異なる場合には、同じ診療科用の端末の利用台数のみをカウントするようにしてもよい。
【００５５】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【符号の説明】
【００５６】
１…順番管理システム
１００…順番管理サーバ
１１０…管理データベース
１２０…プロセッサ
２００…順番管理端末
２１０…プロセッサ
２２０…入力装置
２３０…表示装置
２４０…通信インタフェース
２５０…記憶資源
３００…ユーザ端末
３１０…プロセッサ
３２０…入力装置
３３０…表示装置
３４０…通信インタフェース
３５０…記憶資源
ＴＡ１…クライアント管理テーブル
ＴＡ２…ステータス管理テーブル
Ｎ…通信ネットワーク
【要約】      （修正有）【課題】他の端末やオンラインからの登録も考慮して、利用者に正確な予想待ち時間を提示する順番管理システム、順番管理装置及びプログラムを提供する。【解決手段】施設における順番待ちを管理する順番管理システム１は、利用者による施設への順番待ちの登録を受け付ける複数の受付端末（順番管理端末２００、ユーザ端末３００）と、各々の受付端末を介して取得した順番待ちの登録の情報を、施設の順番待ちリストに登録する順番管理サーバとを備える。順番管理サーバは、順番待ちの登録のための操作が進行中の受付端末の数に基づいて、登録見込み組数を算出する登録見込み組数算出部と、利用者に提示する予想待ち時間を算出する予想待ち時間算出部とを備える。予想待ち時間算出部は、順番待ちリストに登録されている順番待ち組数と、登録見込み組数に基づいて予想待ち時間を算出する。【選択図】図１【図１】
0006758468.tif 000002
【図２】
0006758468.tif 000003
【図３】
0006758468.tif 000004